(57)【要約】    【課題】電気的帰還を発生させることなく同一伝送路に音声信号と映像信号を伝送させる。    【解決手段】カメラ２１で撮像された映像の映像信号Ｓ１を変調したＦＭ信号Ｓ３及びマイク２２から入力された音声信号Ｓ２を伝送する玄関機２と、伝送されてきたＦＭ信号を映像信号に復調してモニタ３１で出画するとともに音声信号をスピーカ３３から報音する室内機３とを備え、玄関機には、音声信号を映像信号の水平同期信号の周期に同期させてサンプリングし、映像信号の水平帰線消去期間中のフロントポーチ部に重畳してＦＭ信号に変調を行なう重畳・変調部２５を設け、室内機には、玄関機より伝送されてきたＦＭ信号を復調し、映像信号の水平帰線消去期間中のフロントポーチ部に重畳された音声信号を分離し、サンプリングし再生する復調・再生部３６を設けている。    【選択図】図２
2006135623.tif 000002
【特許請求の範囲】
【請求項１】
カメラ（２１）で撮像された映像の映像信号（Ｓ１）を変調したＦＭ信号（Ｓ３）及びマイク（２２）から入力された音声信号（Ｓ２）を伝送する玄関機（２）と、伝送されてきた前記ＦＭ信号を映像信号に復調してモニタ（３１）で出画するとともに前記音声信号をスピーカ（３３）から報音する室内機（３）とを備え、
前記玄関機には、前記音声信号を前記映像信号の水平同期信号（Ｓ１０１）の周期に同期させてサンプリングし、前記映像信号の水平帰線消去期間中のフロントポーチ部（ＦＰ）あるいはバックポーチ部（ＢＰ）に重畳してＦＭ信号に変調を行なう重畳・変調部（２５）を設け、
前記室内機には、前記玄関機より伝送されてきた前記ＦＭ信号を復調し、前記映像信号の前記水平帰線消去期間中の前記フロントポーチ部あるいはバックポーチ部に重畳された前記音声信号を分離し、サンプリングし再生する復調・再生部（３６）を設けたことを特徴とするテレビドアホン装置。
【発明の詳細な説明】
【技術分野】
【０００１】
本発明は、テレビドアホン装置に係り、特に玄関機のカメラで撮像した映像の映像信号の水平帰線消去期間中のフロントポーチ部あるいはバックポーチ部に玄関機のマイクで集音した音声の音声信号を重畳したものをＦＭ変調して室内機に伝送するテレビドアホン装置に関する。
【背景技術】
【０００２】
従来から、この種のテレビドアホン装置は図５のブロック図に示すように、玄関などに設置される玄関機２００と、住宅の室内に設置される室内機３００とが２線の伝送路Ｌ１００で接続されている。玄関機２００は、玄関機２００の設置場所の周囲の映像を撮像するカメラ２０１と、室内機３００と通話を行うためのマイク２０２とを備えている。カメラ２０１は変調回路２０４に接続され、マイク２０２は通話回路２０５を介して２線・４線変換回路２０６に接続され、変調回路２０４と２線・４線変換回路２０６はそれぞれ伝送路Ｌ１００を接続する接続端子Ｔ１０１に接続されている。また、室内機３００は、玄関機２００のカメラ２０１から伝送される玄関の来訪者の映像を出画するためのモニタ３０１と、玄関機２００のマイク２０２、スピーカと通話を行うためのマイク（図示せず）、スピーカ３０２と、室内親機３００とともに玄関機２００にも電源を供給するための電源回路３０３とを備えている。モニタ３０１は復調回路３０４に接続され、スピーカ３０２は通話回路３０５を介して２線・４線変換回路３０６に接続され、復調回路３０４と２線・４線変換回路３０６はそれぞれフィルタ回路３０７に接続され、フィルタ回路３０７は伝送路Ｌ１００を接続する接続端子Ｔ１０２に接続されている。電源回路３０３は制御回路３０８を介して復調回路３０４に接続されている。なお、玄関機２００の呼出ボタン、スピーカと室内機３００のマイクは、便宜上、図示していない。
【０００３】
このように構成されたテレビドアホン装置１００の動作について、以下説明する。
【０００４】
来訪者が玄関機２００の呼出ボタンを押下すると、伝送路Ｌ１００の電圧が下がりその電圧降下を室内機３００の制御回路３０８が検出する。制御回路３０８は伝送路Ｌ１００の電圧降下を検出すると、電源回路３０３に電源供給信号を出力するので、電源回路３０３は室内親機３００、玄関機２００に動作電源の供給を開始する。玄関機２００は電源が供給されると、カメラ２０１、変調回路２０４及び通話回路２０５が駆動する。そして、カメラ２０１で撮像した映像の映像信号Ｓ１００は変調回路２０４でＦＭ変調され、マイク２０２で集音された音声の音声信号Ｓ２００は通話回路２０５でベースバンドにより２線・４線変換回路２０６に送出される。ＦＭ伝送された映像信号Ｓ１００とベースバンド伝送された音声信号Ｓ２００は伝送路Ｌ１００を介して室内機３００のフィルタ回路３０７に受信される。フィルタ回路３０７はＦＭ伝送された映像信号Ｓ１００を復調回路３０４に出力し、ベースバンド伝送された音声信号Ｓ２００を２線・４線変換回路２０６を介して通話回路３０５に送出する。復調回路３０４はＦＭ伝送された映像信号Ｓ１００を復調してモニタ３０１に送出するので、モニタ３０１にカメラ２０１で撮像した映像を出画させることができる。また、通話回路３０５はベースバンド伝送された音声信号Ｓ２００を増幅させスピーカ３０２に送出するので、スピーカ３０２でマイク２０２で集音された音声を報音させることができる。
【０００５】
このような玄関機２００のカメラ２０で撮像した来訪者の映像の映像信号をＦＭ映像信号で、また、玄関機２００のマイク２０２で集音された音声の音声信号をベースバンドでそれぞれ伝送するテレビインターホン装置が開示されている（例えば、特許文献１参照）。
【０００６】
【特許文献１】特開平６−１９７３４８号公報（段落番号００１９、００２９〜００３１、図２）
【発明の開示】
【発明が解決しようとする課題】
【０００７】
背景技術において示したテレビドアホン装置１００では、玄関機２００から室内機３００に音声信号Ｓ２００を伝送する際、ベースバンド伝送となっているので、インピーダンス整合をとらない場合には電気的な帰還が発生しハウリングを起こしやすくなる虞があった。
【０００８】
本発明は、このような従来の難点を解決するためになされたもので、玄関機から室内機に映像信号と音声信号を伝送する際、映像信号にサンプリングした音声のデータを重畳し、映像信号とともにＦＭ変調を行って室内機に伝送し、室内機にて復調を行なった後、映像信号から音声データを取り出しサンプルホールドして音声信号をスピーカに送出することにより、電気的帰還を発生させることなく同一伝送路に音声信号と映像信号を伝送させるテレビドアホン装置を提供することを目的とする。
【課題を解決するための手段】
【０００９】
本発明の態様であるテレビドアホン装置は、カメラで撮像された映像の映像信号を変調したＦＭ信号及びマイクから入力された音声信号を伝送する玄関機と、伝送されてきたＦＭ信号を映像信号に復調してモニタで出画するとともに音声信号をスピーカから報音する室内機とを備え、玄関機には、音声信号を映像信号の水平同期信号の周期に同期させてサンプリングし、映像信号の水平帰線消去期間中のフロントポーチ部あるいはバックポーチ部に重畳して水平同期信号の帰線消去信号部に重畳してＦＭ信号に変調を行なう重畳・変調部を設け、室内機には、玄関機より伝送されてきたＦＭ信号を復調し、映像信号の水平帰線消去期間中のフロントポーチ部あるいはバックポーチ部に重畳された音声信号を分離し、サンプリングし再生する復調・再生部を設けたものである。
【００１０】
このようなテレビドアホン装置によれば、玄関機から室内機に映像信号と音声信号を伝送する際、映像信号にサンプリングした音声のデータを重畳し、映像信号とともにＦＭ変調を行って室内機に伝送し、室内機にて復調を行なった後、映像信号から音声データを取り出しサンプルホールドして音声信号をスピーカに送出することができるので、音声信号はインピーダンス整合をとらなくとも電気的帰還は発生しなくなる。
【発明の効果】
【００１１】
本発明のテレビドアホン装置によれば、インピーダンス整合をとらなくとも電気的帰還を発生させることなく同一伝送路に音声信号と映像信号を伝送させることができるので、ハウリングしにくくなった。
【発明を実施するための最良の形態】
【００１２】
以下、本発明のテレビドアホン装置における好ましい実施の形態例について、図面を参照して説明する。
【００１３】
本発明のテレビドアホン装置は図１に示すように、玄関などに設置される玄関機２と、住宅の室内に設置される室内機３とが２線の伝送路Ｌ１０で接続されている。玄関機２は、玄関機２の設置場所の周囲の映像を撮像するカメラ２１と、室内機３と通話を行うためのマイク２２、スピーカ２３と、室内機３を呼び出すための呼出ボタン２４とを備えている。また、室内機３は、玄関機２のカメラ２１から伝送される玄関の来訪者の映像を出画するためのモニタ３１と、玄関機２のマイク２２、スピーカ２３と通話を行うためのマイク３２、スピーカ３３と、来訪者との通話及び終話を行うための通話ボタン３４と、モニタ３１を駆動するためのモニタボタン３５とを備えている。
【００１４】
この玄関機２には図２、図３、図４に示すように、マイク２２から入力された音声信号Ｓ２をカメラ２１で撮像された映像の映像信号Ｓ１の水平同期信号Ｓ１０１の周期に同期させてサンプリングし、映像信号Ｓ２の水平帰線消去期間Ｐ中のフロントポーチ部ＦＰに重畳してＦＭ信号Ｓ３に変調を行なう重畳・変調部２５を設けている。重畳・変調部２５は、重畳回路２５ａと変調回路２５ｂから成り、重畳回路２５ａにカメラ２１が接続されるとともにマイク２２が通話回路２６を介して接続されている。この重畳回路２５ａに変調回路２５ｂが接続され、変調回路２５ｂは伝送路Ｌ１０を接続する接続端子Ｔ１１に接続されている。また、重畳回路２５ａ及び変調回路２５ｂにはサンプリングタイミング、重畳タイミングや変調タイミング等を制御する制御回路２７が接続されている。
【００１５】
重畳回路２５ａは、マイク２２から入力された音声信号Ｓ２をカメラ２１で撮像された映像の映像信号Ｓ１の水平同期信号Ｓ１０１の周期に同期させてサンプリングし、映像信号Ｓ１の水平帰線消去期間Ｐ中のフロントポーチ部ＦＰに重畳する回路である。また、変調回路２５ｂは、映像信号Ｓ１の水平帰線消去期間Ｐ中のフロントポーチ部ＦＰに音声信号Ｓ１を重畳した映像信号Ｓ１０をＦＭ信号Ｓ３に変調する回路である。
【００１６】
ここで、映像信号Ｓ１は図３、図４に示すように、帰線消去信号によって水平帰線消去期間Ｐ中の映像信号を消去し、その水平帰線消去期間Ｐ中に水平同期信号Ｓ１０１が加えられる。さらに、水平帰線消去期間Ｐ中の前の部分となるバックポーチ部ＢＰに色搬送色信号の位相基準となる色同期信号Ｓ１０２が重畳される。このような水平帰線消去期間Ｐ中の後の部分となるフロントポーチ部ＦＰに、サンプリングされた音声データｄ１〜ｄ５を重畳回路２５ａで重畳させる。なお、水平帰線消去期間Ｐ中にフロントポーチ部ＦＰ及びバックポーチ部ＢＰが設けられるのは、室内機３のモニタ３１で確実に映像信号をカットオフし、画面に不要な映像が再現されないようにするためである。
【００１７】
また、室内機３には図２、図３、図４に示すように、玄関機２より伝送されてきたＦＭ信号Ｓ３を復調し、映像信号Ｓ２０の水平帰線消去期間Ｐ中のフロントポーチ部ＦＰに重畳された音声データｄ１〜ｄ５を分離し、サンプリングし再生する復調・再生部３６を設けている。復調・再生部３６は、復調・分離回路３６ａと再生回路３６ｂから成り、復調・分離回路３６ａにモニタ３１が接続され、再生回路３６ｂにスピーカ３３が通話回路３７を介して接続されている。なお、復調・分離回路３６ａは伝送路Ｌ１０を接続する接続端子Ｔ１２に接続されている。また、復調・分離回路３６ａ及び再生回路３６ｂにはサンプリングタイミング等を制御する制御回路３８が接続され、制御回路３８には室内親機３とともに玄関機２にも電源を供給するための電源回路３９が接続されている。
【００１８】
復調・分離回路３６ａは、玄関機２より伝送されてきたＦＭ信号Ｓ３を復調し、映像信号Ｓ２０の水平帰線消去期間Ｐ中のフロントポーチ部ＦＰに重畳された音声データｄ１〜ｄ５を分離する回路である。具体的には、水平同期信号Ｓ１０１（例えば、１５．７ｋＨｚ）に同期したゲート信号Ｓ１０２を制御回路３８から送出し、そのゲート信号Ｓ１０２のタイミングで映像信号Ｓ１０の水平帰線消去期間Ｐ中のフロントポーチ部ＦＰに重畳された音声データｄ１〜ｄ５のみを取り出して、映像信号Ｓ１０から分離する。また、再生回路３６ｂは、音声データｄ１〜ｄ５をサンプリングし再生する回路で、復調・分離回路３６ａで映像信号Ｓ１０から分離された音声データｄ１〜ｄ５をサンプルホールドして元の音声信号Ｓ１に再生する。
【００１９】
なお、図２においては、玄関機２の呼出ボタン、スピーカと室内機３のマイクは、便宜上、図示していない。
【００２０】
このように構成された本発明のテレビドアホン装置１の動作について、以下説明する。
【００２１】
来訪者が玄関機２の呼出ボタン２４を押下すると、伝送路Ｌ１０の電圧が下がりその電圧降下を室内機３の制御回路３８が検出する。制御回路３８は伝送路Ｌ１０の電圧降下を検出すると、電源回路３９に電源供給信号を出力するので、電源回路３９は室内親機３、玄関機２に動作電源の供給を開始する。玄関機２は電源が供給されると、カメラ２１、重畳・変調部２５、通話回路２６及び制御回路２７が駆動する。そして、カメラ２１で撮像した映像の映像信号Ｓ１は重畳・変調部２５の重畳回路２５ａに送出される。また、マイク２２で集音された音声の音声信号Ｓ２も重畳・変調部２５の重畳回路２５ａに送出される。
【００２２】
映像信号Ｓ１、音声信号Ｓ２が入力した重畳回路２５ａは、制御回路２７の制御により、マイク２２から入力された音声信号Ｓ２をカメラ２１で撮像された映像の映像信号Ｓ１の水平同期信号Ｓ１０１の周期に同期させてサンプリングし、映像信号Ｓ１の水平帰線消去期間Ｐ中のフロントポーチ部ＦＰに重畳する。この映像信号Ｓ１の水平帰線消去期間Ｐ中のフロントポーチ部ＦＰに音声信号Ｓ２が重畳された映像信号Ｓ１０は重畳回路２５ａから変調回路２５ｂに送出される。変調回路２５ｂは映像信号Ｓ１０をＦＭ信号Ｓ３に変調して伝送路Ｌ１０に伝送する。
【００２３】
伝送路Ｌ１０から伝送されたＦＭ信号Ｓ３は室内機３の復調・再生部３６の復調・分離回路３６ａに入力する。復調・分離回路３６ａは、水平同期信号Ｓ１０１に同期したゲート信号Ｓ１０２が制御回路３８から送出され、そのゲート信号Ｓ１０２のタイミングで映像信号Ｓ１０の水平帰線消去期間Ｐ中のフロントポーチ部ＦＰに重畳された音声データｄ１〜ｄ５のみを取り出して、映像信号Ｓ１０から分離する。
【００２４】
復調・分離回路３６ａで分離された音声データｄ１〜ｄ５は再生回路３６ｂに送出され、再生回路３６ｂはこの音声データｄ１〜ｄ５をサンプルホールドして元の音声信号Ｓ２に再生して通話回路３７に送出する。通話回路３７は再生された音声信号Ｓ２を増幅させスピーカ３３に送出するので、スピーカ３３で玄関機２のマイク２２で集音された音声を報音させることができる。
【００２５】
また、復調・分離回路３６ａで音声データｄ１〜ｄ５が分離された映像信号Ｓ１はモニタ３１に送出されるので、モニタ３１に玄関機２のカメラ２１で撮像した映像を出画させることができる。
【００２６】
このように、玄関機２から室内機３に映像信号Ｓ１と音声信号Ｓ２を伝送する際、映像信号Ｓ１にサンプリングした音声のデータｄ１〜ｄ５を重畳し、音声データｄ１〜ｄ５が重畳した映像信号Ｓ１０にＦＭ変調を行って室内機３に伝送し、室内機３にて復調を行なった後、映像信号Ｓ１０から音声データｄ１〜ｄ５を取り出しサンプルホールドして音声信号Ｓ２を室内機３のスピーカ３３に送出することができるので、音声信号Ｓ２はインピーダンス整合をとらなくとも電気的帰還は発生しなくなる。
【００２７】
なお、上述した本発明の好ましい実施の形態例においては、カラー映像信号に基づき説明したが、これに限らず、白黒の映像信号でも同様の効果を得ることができる。具体的には、音声信号を映像信号の水平同期信号の周期に同期させてサンプリングし、映像信号の水平帰線消去期間中のフロントポーチ部あるいはバックポーチ部に重畳して水平同期信号の帰線消去信号部に重畳してＦＭ信号に変調を行なうことができる。白黒の映像信号ではバックポーチ部にも重畳させることができるのは、カラー映像信号のようにバックポーチ部に色搬送色信号の位相基準となる色同期信号が重畳されないからである。
【図面の簡単な説明】
【００２８】
【図１】テレビドアホン装置の構成を示す説明図である。
【図２】本発明のテレビドアホン装置による好ましい実施の形態例を示すブロック図である。
【図３】本発明のテレビドアホン装置における各信号の波形図で、（ａ）は玄関機のカメラで撮像した映像の映像信号の水平帰線消去期間中のフロントポーチ部に玄関機のマイクで集音した音声の音声信号を重畳した映像信号を示す波形図、（ｂ）は玄関機のマイクで集音した音声の音声信号を示す波形図、（ｃ）は映像信号の水平帰線消去期間中のフロントポーチ部に重畳された音声データのみを取り出すためのゲート信号を示す波形図、（ｄ）は再生された音声信号を示す波形図である。
【図４】図３（ａ）の映像信号の水平帰線消去期間を部分拡大した状態を示す波形図。
【図５】従来のテレビドアホン装置を示すブロック図である。
【符号の説明】
【００２９】
２……玄関機
２１……カメラ
２２……マイク
２５……重畳・変調部
３……室内機
３１……モニタ
３３……スピーカ
３６……復調・再生部３６
Ｓ１……映像信号
Ｓ２……音声信号
Ｓ３……ＦＭ信号
Ｓ１０１……水平同期信号
ＦＰ……フロントポーチ部
ＢＰ……バックポーチ部
【図１】
2006135623.tif 000003
【図２】
2006135623.tif 000004
【図３】
2006135623.tif 000005
【図４】
2006135623.tif 000006
【図５】
2006135623.tif 000007